(57)【要約】【課題】高所作業用安全帯の胴ベルトに取り付けて使用する、構造が簡単で低コストで製造可能な腰パッドを提供する。【解決手段】帯状のクッション部材２と、クッション部材の外面の全体を被覆する、両端が閉じられた筒状編物からなる外被３とからなる本体１を備える。本体の一方の面にストリップ５が取り付けられる。ストリップの一端が差込舌片６をなし、ストリップの他端には係合穴７が設けられる。差込舌片には、差込舌片が係合穴に差し込まれたときに係合穴と係合する突起８が設けられる。ストリップの両端が接続されて、胴ベルトに対するベルト通しが形成される。【選択図】図１
0003212512.tif 000002
【実用新案登録請求の範囲】
【請求項１】
高所作業用安全帯の胴ベルトに取り付けて使用される腰パッドであって、
扁平なクッション部材と、前記クッション部材の外面の全体を被覆する、両端が閉じられた筒状編物から形成された外被とからなる本体と、
前記本体の一方の面に設けられた、前記本体を前記胴ベルトに取り付けるための取付手段と、を備えたものであることを特徴とする腰パッド。
【請求項２】
前記取付手段が、
前記本体に取り付けられて前記本体の幅方向にのびる少なくとも１本のストリップと、
前記ストリップの一端または両端に設けられ、前記ストリップの両端を互いに接続して前記胴ベルトが挿通されるベルト通しを形成するための接続部と、を有するものであることを特徴とする請求項１に記載の腰パッド。
【請求項３】
前記ストリップが合成樹脂から形成され、
前記接続部は、
前記ストリップの一端に設けられた差込部と、
前記ストリップの他端に設けられ、前記差込部と係合し得る係合穴と、からなっていることを特徴とする請求項２に記載の腰パッド。
【請求項４】
前記差込部が、
前記ストリップの前記一端をなす差込舌片と、
前記差込舌片の一方の面に設けられ、前記差込舌片が前記係合穴に差し込まれたときに前記係合穴と係合する突起と、からなっていることを特徴とする請求項３に記載の腰パッド。
【請求項５】
前記接続部が、前記ストリップの両端に取り付けられた一対のスナップボタンからなっていることを特徴とする請求項２に記載の腰パッド。
【請求項６】
前記取付手段が、
前記本体の両側に取り付けられて前記両側から前記本体の幅方向に互いに向かってのびる少なくとも１つのストリップ対と、
前記ストリップ対の各ストリップ、または前記ストリップ対のうちの一方の前記ストリップの先端に設けられ、前記ストリップ対の先端同士を接続して前記胴ベルトが挿通されるベルト通しを形成するための接続部と、を有するものであることを特徴とする請求項１に記載の腰パッド。
【請求項７】
前記ストリップ対が合成樹脂から形成され、
前記接続部は、
前記ストリップ対のうちの一方のストリップの先端に設けられた差込部と、
前記ストリップ対のうちの他方のストリップの先端に設けられ、前記一方のストリップの前記差込部と係合し得る係合穴と、からなっていることを特徴とする請求項６に記載の腰パッド。
【請求項８】
前記差込部が、前記一方のストリップの前記先端をなす差込舌片と、
前記差込舌片の一方の面に設けられ、前記先込舌片が前記係合穴に差し込まれたときに前記係合穴と係合する突起と、からなっていることを特徴とする請求項７に記載の腰パッド。
【請求項９】
前記接続部が、前記ストリップ対の先端に取り付けられた一対のスナップボタンからなっていることを特徴とする請求項６に記載の腰パッド。
【請求項１０】
前記本体の前記外被が、前記クッション部材の両端から被せられるとともに、前記クッション部材の中間部で重なり合う部分が互いに縫合された一対の袋状編物からなっていることを特徴とする請求項１〜請求項９のいずれかに記載の腰パッド。
【考案の詳細な説明】
【技術分野】
【０００１】
本考案は、高所作業現場で作業者に装着される安全帯の胴ベルトに取り付けて使用される腰パッドに関するものである。
【背景技術】
【０００２】
従来の高所作業用安全帯の腰パッドとして、例えば、特許文献１に記載されたものがある。
特許文献１に記載の腰パッドは、帯状のクッション部材の一面側（内面側）が、クッション部材よりも幅広の合成樹脂製シートによって被覆され、シートのはみ出し部分がクッション部材の他面側（外面側）に折り返されて接着され、折り返し部分が補助ベルトに重ねられ、その重なり部分においてクッション部材、シートおよび補助ベルトが長手方向に縫合され、補助ベルトには、腰パッドを高所作業用安全帯の胴ベルトに装着するためのベルト通しが取り付けられたものからなっている（例えば、特許文献１参照）。
【０００３】
ところで、この従来の腰パッドは、クッション部材の一面側をシートによって、他面側を補助ベルトによってそれぞれ被覆した状態で、クッション部材、シートおよび補助ベルトの３つの部材を互いに縫合する構成となっているので、製造に手間と時間がかかり、それに伴って製造コストが高くつくという問題があった。
【先行技術文献】
【特許文献】
【０００４】
【特許文献１】特開２０００−１４８１５号公報
【考案の概要】
【考案が解決しようとする課題】
【０００５】
したがって、本考案の課題は、構造が簡単で低コストで製造可能な腰パッドを提供することにある。
【課題を解決するための手段】
【０００６】
上記課題を解決するため、本考案は、高所作業用安全帯の胴ベルトに取り付けて使用される腰パッドであって、扁平なクッション部材と、前記クッション部材の外面の全体を被覆する、両端が閉じられた筒状編物から形成された外被とからなる本体と、前記本体の一方の面に設けられた、前記本体を前記胴ベルトに取り付けるための取付手段と、を備えたものであることを特徴とする腰パッドを構成したものである。
ここで、高所作業用安全帯の胴ベルトには、角環付きの補助ベルトを備えた胴ベルト（いわゆる柱上安全帯の胴ベルト）も含まれる。以下同様。
【０００７】
上記構成において、好ましくは、前記取付手段が、前記本体に取り付けられて前記本体の幅方向にのびる少なくとも１本のストリップと、前記ストリップの一端または両端に設けられ、前記ストリップの両端を互いに接続して前記胴ベルトが挿通されるベルト通しを形成するための接続部と、を有する。
【０００８】
この場合、好ましくは、前記ストリップが合成樹脂から形成され、前記接続部は、前記ストリップの一端に設けられた差込部と、前記ストリップの他端に設けられ、前記差込部と係合し得る係合穴と、からなっており、より好ましくは、前記差込部が、前記ストリップの前記一端をなす差込舌片と、前記差込舌片の一方の面に設けられ、前記差込舌片が前記係合穴に差し込まれたときに前記係合穴の周縁部と係合する突起と、からなっている。
あるいは、前記接続部が、前記ストリップの両端に取り付けられた一対のスナップボタンからなっていてもよい。
【０００９】
また、上記構成において、好ましくは、前記取付手段が、前記本体の両側に取り付けられて前記両側から前記本体の幅方向に互いに向かってのびる少なくとも１つのストリップ対と、前記ストリップ対の各ストリップ、または前記ストリップ対のうちの一方の前記ストリップの先端に設けられ、前記ストリップ対の先端同士を接続して前記胴ベルトが挿通されるベルト通しを形成するための接続部と、を有する。
【００１０】
この場合、好ましくは、前記ストリップ対が合成樹脂から形成され、前記接続部は、前記ストリップ対のうちの一方のストリップの先端に設けられた差込部と、前記ストリップ対のうちの他方のストリップの先端に設けられ、前記一方のストリップの前記差込部と係合し得る係合穴と、からなっており、より好ましくは、前記差込部が、前記一方のストリップの前記先端をなす差込舌片と、前記差込舌片の一方の面に設けられ、前記先込舌片が前記係合穴に差し込まれたときに前記係合穴の周縁部と係合する突起と、からなっている。
あるいは、前記接続部が、前記ストリップ対の先端に取り付けられた一対のスナップボタンからなっていてもよい。
【００１１】
また、上記構成において、前記本体の前記外被が、前記クッション部材の両端から被せられるとともに、前記クッション部材の中間部で重なり合う部分が互いに縫合された一対の袋状編物からなっていることが好ましい。
【考案の効果】
【００１２】
本考案によれば、腰パッドの本体を、扁平なクッション部材と、クッション部材の外面の全体を被覆する、両端が閉じられた筒状編物からなる外被とからなる簡単な構造とした。
それによって、例えば、一対の袋状編物（一端が開口し、他端が閉じられた筒状編物）をクッション部材の両端から被せ、クッション部材の中間部においてそれらの袋状編物の重なり合った部分を縫合するだけで、あるいは、クッション部材を筒状編物内に収容し、筒状編物の両端を折り返して縫合するだけで、腰パッドの本体を形成することができるので、腰パッドの製造が従来よりも簡単にかつ短時間で行え、ひいては、腰パッドの製造コストを大幅に低減することができる。
【００１３】
しかも、このような簡単な構造であっても、高所作業用安全帯の装着時の胴ベルトのズレを防止するとともに、作業者の腰にかかる負荷を軽減するという従来の腰パッドと同様の効果が得られるのは勿論のこと、クッション部材の表面の全体を外被によって被覆しているので、クッション部材の摩耗および太陽光線（紫外線）による劣化も防止できる。
また、外被を編地から形成してこれに一定程度の伸縮性をもたせたので、外被を少し伸長させた状態でクッション部材に被せることで、外被をクッション部材の外形に沿わせた状態でクッション部材の全体を外被によって被覆することができ、腰パッドの外観を美しく仕上げることができる。
【図面の簡単な説明】
【００１４】
【図１】（Ａ）は本考案の１実施例による高所作業用安全帯の腰パッドの斜視図であり、（Ｂ）は（Ａ）の腰パッドの本体の分解斜視図である。
【図２】図１の腰パッドを高所作業用安全帯の胴ベルトに取り付けた状態を示す斜視図である。
【図３】（Ａ）および（Ｂ）は図１の腰パッドの取付手段の縦断面図であり、（Ｃ）は接続部の変形例を示す斜視図である。
【考案を実施するための形態】
【００１５】
以下、添付図面を参照しつつ、本考案の構成を好ましい実施例に基づいて説明する。
図１Ａは、本考案の１実施例による高所作業用安全帯の腰パッドの斜視図であり、図１Ｂは、図１の腰パッドの本体の分解斜視図であり、図２は、図１の腰パッドを高所作業用安全帯の胴ベルトに取り付けた状態を示す斜視図である。また、図３Ａおよび図３Ｂは、図１の腰パッドの取付手段の縦断面図である。
【００１６】
図１〜図２を参照して、本考案によれば、高所作業用安全帯１１の胴ベルト１２よりも幅が広い帯状のクッション部材２と、クッション部材２の外面の全体を被覆する、両端が閉じられた筒状編物からなる外被３とからなる本体１が備えられる。
【００１７】
クッション部材２は、この実施例では、２種類のポリエチレンスポンジを重ね合せたもの、またはポリエチレンスポンジとウレタンスポンジを重ね合せたものからなっている。
なお、クッション部材２の構成はこの実施例に限定されず、クッション部材２の形成材料として一定程度の弾力性を有する公知の任意の材料が使用可能であり、また、クッション部材２は、１種類の材料のみから形成されていてもよいし、複数種類の材料から形成されていてもよい。
【００１８】
また、この実施例では、クッション部材２は帯状に形成され、よって幅が一定であるが、クッション部材２の形状も特に限定されず、クッション部材２は扁平でさえあればどのような形状であってもよく、例えば、クッション部材２の中央部から両端に向かって次第に先細り状になるような形状であってもよい。
【００１９】
外被３をなす両端が閉じられた筒状編物の編み糸の種類は特に限定されず、公知の適当な編み糸が使用され、また、編組織も特に限定されず、公知の適当な編組織（例えば、平編み、丸編み等）が用いられる。
外被３は、この実施例では、一対の袋状編物（一端が開口し、他端が閉じられた筒状編物）３ａ、３ｂをクッション部材２の両端から被せて、それら袋状編物３ａ、３ｂの開口端側を互いに重ね合わせ、重ね合わせた部分３ｃをクッション部材２と一緒に綴じ糸４ａによって縫合したものからなっている。
【００２０】
本考案によれば、外被３が編地から形成され、一定程度の伸縮性を有するので、外被３を少し伸長させた状態でクッション部材２に被せることで、外被３がクッション部材２の外形にぴったり沿った状態でクッション部材２の全体が外被３によって被覆され、それによって、腰パッドの外観が美しく仕上がる。
外被３は、クッション部材２を摩耗および太陽光線（紫外線）から保護する保護手段としても機能する。
【００２１】
本考案によれば、また、本体１の一方の面に、３本の合成樹脂製ストリップ５が、本体１の長手方向に互いに間隔をあけて取り付けられて、それぞれ本体１の幅方向にのびている。
各ストリップ５は、その両端部がストリップ５の幅方向にのびる折り線５ａ、５ｂに沿って折り曲げ可能に形成されている。ストリップ５の両端部は、折り曲げられたときに、先端から一定長が互いに重なり合うような長さに形成されている。
【００２２】
そして、ストリップ５の折り線５ａ、５ｂの部分（または折り線５ａ、５ｂの内側の部分）を、本体１の縁に沿って外被３およびクッション部材２を互いに縫合する縫じ糸４ｂが刺し通されており、ストリップ５はこの縫じ糸４ｂによって本体１に縫着されている。
【００２３】
さらに、ストリップ５の一端が差込舌片６を形成する一方、ストリップ５の他端は、差込舌片６に係合し得る係合穴７を有している。
差込舌片６は、係合穴７の差込舌片の幅方向の大きさに対応する幅を有している。そして、差込舌片６の一方の面（本体１と反対側の面）における差込舌片６の先端から間隔をあけた位置には、突起８が設けられている。
【００２４】
差込舌片６の突起８は、図３に示すように、差込舌片６の一定長にわたってかつ差込舌片６の幅方向にのび、差込舌片６との段差を形成する後面８ａと、後面８ａの上端縁に接続する差込舌片６に平行な下面８ｂと、下面８ｂの前端縁に接続して当該前端縁から前方に差込舌片６まで傾斜してのびる前面８ｃとを有している。
突起８は、また、係合穴７を通過し得る大きさを有している。
【００２５】
ストリップ５の一端の差込舌片６および突起８から、ストリップ５の他端の係合穴７と係合し得る差込部が構成され、この差込部と係合穴７とから、ストリップ５の両端を互いに接続して高所作業用安全帯１１の胴ベルト１２が挿通されるベルト通しを形成するための接続部が構成される。
さらに、ストリップ５と、接続部とから、本体１を高所作業用安全帯１１の胴ベルト１２に取り付けるための取付手段９が構成される。
【００２６】
本考案の腰パッドの胴ベルト１２への取り付けは次のようにしてなされる。
まず、ストリップ５の両端が離間した状態で（図１Ａの左端および中央のストリップ５参照）、高所作業用安全帯１１の胴ベルト１２がストリップ５の上に胴ベルト１２の内面（裏面）がストリップに対向する配置で重ねられた後、ストリップ５の両端が折り線５ａ、５ｂに沿って、差込舌片６が係合穴７の上になる配置で折り曲げられて、差込舌片６の先端部が係合穴７に挿通され、続いて突起８が、前面８ｃを胴ベルト１２に接触させながら係合穴７に差し込まれる。
【００２７】
突起８が係合穴７に差し込まれたとき、図３Ｂに示すように、ストリップ５の両端を開こうとする反発力によって、突起８の後面８ａが係合穴７係合し、ストリップ５の両端が接続された状態に保持される。それによって、図２に示すように、胴ベルト１２が挿通されるベルト通しが形成され、本考案の腰パッドが胴ベルト１２に簡単に取り付けられる。
また、腰パッドの胴ベルトからの取り外しも、突起８の後面８ｃと係合穴７の係合を解除することで簡単に行える。
【００２８】
本考案によれば、腰パッドの本体１を、クッション部材２と、クッション部材２の外面の全体を被覆する、両端が閉じられた筒状編物からなる外被３とからなる簡単な構造としたので、腰パッドの製造が従来よりも簡単にかつ短時間で行え、ひいては、腰パッドの製造コストを大幅に低減させることができる。
【００２９】
しかも、このような簡単な構造であっても、高所作業用安全帯の装着時の胴ベルトのズレを防止するとともに、作業者の腰にかかる負荷を軽減するという従来の腰パッドと同様の効果が得られることは言うまでもない。
【００３０】
以上、本考案の好ましい実施例を説明したが、本考案の構成は上記実施例に限定されるものではなく、添付の実用新案登録請求の範囲に記載した構成の範囲内において種々の変形例を案出できることは言うまでもない。
【００３１】
例えば、上記実施例では、本体１の外被３が、クッション部材２の両端から被せられるとともに、クッション部材２の中間部で重なり合う部分が互いに縫合された一対の袋状編物３ａ、３ｂから形成されるが、外被３は、クッション部材２の外面の全体を被覆する、両端が閉じられた筒状編物からなっておればよく、上記実施例の代わりに、例えば、本体１の外被３が、（クッション部材２を収容した）筒状編物の両端を折り返して縫合したものから構成されていてもよい。
【００３２】
また、上記実施例では、ストリップ５の一端の差込部が、差込舌片６と突起８から構成されるが、差込部の構成はこれに限定されず、ストリップ５の他端の係合穴７に係合し得るものであればどのような構成であってもよい。
さらに、取付手段９の接続部の構成は、上記実施例に限定されず、取付手段９のストリップ５の両端を互いに接続して高所作業用安全帯の胴ベルトが挿通されるベルト通しを形成することができるものであればどのような構成であってもよい。
この場合、ストリップ５の形成材料も合成樹脂に限定されず、ストリップ５が、例えば、合成繊維糸から製織された織物細片からなっていてもよく、ストリップが織物細片から形成された場合には、接続部が、例えば図３Ｃに示すように、ストリップ５’の両端に取り付けられた一対のスナップボタン１０ａ、１０ｂから構成されていてもよい。
また、例えば、接続部がストリップ５の一端または両端に取り付けたバックルから構成されていてもよい。
【００３３】
また、上記実施例では、取付手段９が、ストリップ５と、ストリップ５の一端または両端に設けられた、ストリップ５の両端を互いに接続してベルト通しを形成するための接続部とから構成されるが、その代わりに、取付手段９が、本体１の両側に取り付けられて当該両側から本体１の幅方向に互いに向かってのびる少なくとも１つのストリップ対と、ストリップ対の各ストリップ、またはストリップ対のうちの一方のストリップの先端に設けられ、ストリップ対の先端同士を接続してベルト通しを形成するための接続部とから構成されていてもよい。
この場合、取付手段９および接続部は、上記実施例と同様に構成され得る。
【００３４】
なお、本考案では、本体１の一方の面に、本体１を胴ベルト１２に取り付けるための取付手段９を設けられるが、本体１の外被３が編地から形成されるので、胴ベルト１２の裏面に雄型の面ファスナーを取り付けておけば、この雄型の面ファスナーと本体１の外被３との係合によって、本体１を直接胴ベルト１２に取り付けることもできる。
【符号の説明】
【００３５】
１  本体
２  クッション部材
３  外被
３ａ、３ｂ  袋状編物
３ｃ  重ね合せた部分
４ａ、４ｂ  綴じ糸
５、５’  ストリップ
５ａ、５ｂ  折り線
６  差込舌片
７  係合穴
８  突起
８ａ  後面
８ｂ  下面
８ｃ  前面
９  取付手段
１０ａ、１０ｂ  一対のスナップボタン
１１  高所作業用安全帯
１２  胴ベルト
【図１】
0003212512.tif 000003
【図２】
0003212512.tif 000004
【図３】
0003212512.tif 000005